(57)【要約】　　　（修正有）【課題】紫外発光するＬＥＤを用いて、その紫外光によって励起する蛍光体の発光を利用することによって好みの色でスイッチを演出することができるスイッチ照明装置を提供する。【解決手段】筐体と、前記筐体に配置されたスイッチ３と、前記筐体内のスイッチ３近傍に配置された紫外線を発する発光素子４とからなり、前記スイッチ３は、２つ以上からなり、且つ、前記発光素子４の光によって励起される異なった複数の蛍光色を発する蛍光体５を前記各スイッチに有しているスイッチ照明装置。【選択図】　　　　図２
2004119341.tif 000002
【特許請求の範囲】
【請求項１】
筐体と、前記筐体に配置された複数のスイッチと、前記筐体内のスイッチ近傍に配置された紫外線を発する発光素子とからなり、前記スイッチは、前記発光素子の光によって励起される蛍光体を有し、前記スイッチのうち少なくとも１つのスイッチは他のスイッチと異なる蛍光を発することを特徴とするスイッチ照明装置。
【請求項２】
前記発光素子近傍のスイッチには、前記異なった複数の蛍光体の内、発光素子からの光りに励起しづらい蛍光材料を配置し、前記異なった複数の蛍光体の内残りの蛍光体がその他のスイッチに配置されていることを特徴とする請求項１記載のスイッチ照明装置。
【請求項３】
前記蛍光体は、前記スイッチの筐体内側に配置されていることを特徴とする請求項１又は２記載のスイッチ照明装置。
【発明の詳細な説明】
【０００１】
【発明の属する技術分野】
本発明は、紫外線の照射によって発光する蛍光体を配置したスイッチに、紫外線発光ダイオード（以下、「紫外線ＬＥＤ」とも略する。）の紫外線を照射することによって、種々の蛍光色でスイッチを演出することができるスイッチ照明装置に関するものである。
【０００２】
【従来の技術】
種々の色のスイッチカバーを例えば緑色等の光を発するＬＥＤで照らすことによって、そのスイッチカバーを介して透過される光の色を表現するスイッチ照明装置が知られている。（例えば、特許文献１参照）
【０００３】
【特許文献１】
特開２００１−３５８８０８号公報
【０００４】
【発明が解決しようとする課題】
しかし、かかる従来のスイッチ照明装置においては、スイッチカバーの内部に望みのＬＥＤを配置しなければ、特定の色を再現できなかった。
この場合、多数のスイッチが配置されている。たとえば、携帯電話の番号等のスイッチ部をそれぞれ異なった色で表現する時は、個々のスイッチ内にそれぞれ異なったＬＥＤを配置しなければならず、ＬＥＤの個数及び種類の増大となり、電源電池の消耗を早めるばかりでなく、小空間に多くの部品を組み込む必要があるため、小型化の設計が困難であった。
一方、白色光源（例えばバルブ）をスイッチカバーの内部に配置する場合、スイッチカバーを着色し、スイッチカバーを介して、光を取出すことにより望みの色を表現する場合、光源から発する光の一部をカット照明しているため、光のロスを引き起こしていた。また、光を直接カットしているため、光の明るさのばらつきが直接照明に現れるため、スイッチ全体を均一に照明するのは、難しかった。
【０００５】
そこで、本発明は、紫外発光するＬＥＤを用いて、その紫外光によって励起する蛍光体の発光を利用することによって好みの色でスイッチを演出することができるスイッチ照明装置を提供することを課題とするものである。
【０００６】
【課題を解決するための手段】
請求項１の発明にかかるスイッチ照明装置は、筐体と、前記筐体に配置された複数のスイッチと、前記筐体内のスイッチ近傍に配置された紫外線を発する発光素子とからなり、前記スイッチは、前記発光素子の光によって励起される蛍光体を有し、前記スイッチのうち少なくとも１つのスイッチは他のスイッチと異なる蛍光を発することことを特徴とする。
【０００７】
さらに、上記発光素子近傍のスイッチには、異なった複数の蛍光体の内、発光素子からの光りに励起しづらい蛍光材料を配置し、異なった複数の蛍光体の内残りの蛍光体がその他のスイッチに配置されていることを特徴とする。
【０００８】
さらに、上記蛍光体は、上記スイッチの筐体内側に配置されていることを特徴とする。
【０００９】
【発明の実施の形態】
以下、本発明の実施の形態について説明する。
【００１０】
図１は本発明の実施の形態にかかるスイッチ照明装置を用いた携帯電話１の全体構成を示す正面図である。図２は本発明の実施の形態にかかるスイッチ照明装置を用いた携帯電話１の要部拡大図である。
【００１１】
図１に示されるように、本実施の形態の携帯電話１は、筐体２と筐体２内に数字等の文字を表示したスイッチ３とからなる。この筐体２内のスイッチ３の近傍には、窒化ガリウム系化合物半導体から成る紫外線ＬＥＤ４が配置され、スイッチ３の内側には、紫外線ＬＥＤ４からの光りにより励起可能な蛍光体層５が固定してある。
【００１２】
本実施例の場合、紫外線ＬＥＤ４はスイッチ類３の略中央にくるように基板６上に１個配置し、励起が起こりにくい蛍光材料である赤色の蛍光材料を紫外線ＬＥＤ４の近傍のスイッチ３ａの内側に、その他の色の蛍光材料を赤色のスイッチ３ａの周囲のスイッチ３ｂに配置していく構成とした。
【００１３】
本実施の形態の紫外線ＬＥＤ４の発光波長は３６０ｎｍから４００ｎｍ程度までであり、光出力強度のピークは中間波長の３８０ｎｍであって、光出力強度のパターンは３８０ｎｍを中心として略左右対称となっている。したがって、紫外線ＬＥＤといっても波長の長い近紫外線である。なお、本発明の紫外線ＬＥＤ４とは、少なくとも波長の長い近紫外線を含むものであれば良く、可視光の発光の有無を問うものではない。
【００１４】
ここで、近紫外線の照射を受けて赤色を発光する赤色発光蛍光体の具体例としては、一般式：（Ｌａ１−ｘ−ｙＥｕｘＳｍｙ）２Ｏ２Ｓ　（式中、ｘ及びｙは、０．０１≦ｘ≦０．１５、０．０００１≦ｙ≦０．０３、を満足する数である）で実質的に表される３価のユーロピウム及びサマリウム付活酸硫化ランタン蛍光体が挙げられる。
【００１５】
また、近紫外線の照射を受けて緑色を発光する緑色発光蛍光体の具体例としては、一般式：ａ（Ｍ１，Ｅｕ，Ｍｎ）Ｏ・ｂＡｌ２Ｏ３　（式中、Ｍ１はＭｇ，Ｃａ，Ｓｒ，Ｂａ，Ｚｎ，Ｌｉ，Ｒｂ及びＣｓから選ばれる少なくとも一種の元素を示し、ａ及びｂは、ａ＞０，ｂ＞０，０．２≦ａ／ｂ≦１．５を満足する数である）で実質的に表される２価のユーロピウム及びマンガン付活アルミン酸塩蛍光体が挙げられる。
【００１６】
さらに、近紫外線の照射を受けて青色を発光する青色発光蛍光体の具体例としては、一般式：（Ｍ２，Ｅｕ）１０（ＰＯ４）６・Ｃｌ２　（式中、Ｍ２はＭｇ，Ｃａ，Ｓｒ及びＢａから選ばれる少なくとも１種の元素を示す）で実質的に表される２価のユーロピウム付活ハロ燐酸塩蛍光体、及び　　　一般式：ａ（Ｍ１，Ｅｕ）Ｏ・ｂＡｌ２Ｏ３　（式中、Ｍ１はＭｇ，Ｃａ，Ｓｒ，Ｂａ，Ｚｎ，Ｌｉ，Ｒｂ及びＣｓから選ばれる少なくとも一種の元素を示し、ａ及びｂは、ａ＞０，ｂ＞０，０．２≦ａ／ｂ≦１．５を満足する数である）で実質的に表される２価のユーロピウム付活アルミン酸塩蛍光体が挙げられる。
【００１７】
また、紫外発光するＬＥＤとして発光波長が３６０ｎｍから４００ｎｍの範囲内のものを使用しているが、蛍光材料を発光させられる紫外線であれば、どのような波長範囲のものを用いても良い。蛍光体照明器具のその他の部分の構造、形状、数量、材質、大きさ、接続関係等についても、本実施の形態に限定されるものではない。
【００１８】
また、筐体本体を蛍光体を有する樹脂として、筐体内部に配置された紫外線ＬＥＤで筐体本体をスイッチとともに蛍光を発するようにした構成とすることもできる。この時は、筐体及びスイッチ全体が蛍光を発するので、色々な光の演色を装置全体で楽しむことができる。
【００１９】
【発明の効果】
以上説明したように、請求項１の発明にかかるスイッチ照明装置は、筐体と、前記筐体に配置された複数のスイッチと、前記筐体内のスイッチ近傍に配置された紫外線を発する発光素子とからなり、前記スイッチは、前記発光素子の光によって励起される蛍光体を有し、前記スイッチのうち少なくとも１つのスイッチは他のスイッチと異なる蛍光を発することを特徴とするので、１種類の発光素子を少数使用するのみで各種の色が表現できる。
【００２０】
また、発光素子の使用個数を減らすことができるため、決められた小空間に多くの部品を組み込む場合の設計が容易になるばかりか、携帯電話のような電源に電池を用いる場合、電力の削減が可能となる。
【００２１】
さらに、請求項２の発明にかかるスイッチ照明装置は、発光素子近傍のスイッチには、異なった複数の蛍光体の内、発光素子からの光りに励起しづらい蛍光材料を配置し、前記異なった複数の蛍光体の内残りの蛍光体がその他のスイッチに配置しているため、複数のスイッチを少数の発光素子で照明する時の照度のばらつきを少なくでき、スイッチ全体を均一に照明することができる。
【００２２】
さらに、請求項３の発明にかかるスイッチ照明装置は、蛍光体は、スイッチの筐体内側に配置されているため、外部からの光りにより蛍光体が励起しづらくなるため、明るい場所で照明されるスイッチが蛍光色を確認しにくいため、照明したときとしないときの印象を替えることが容易である。
【図面の簡単な説明】
【図１】図１は本発明の実施の形態にかかるスイッチ照明装置の全体構成を示す正面図である。
【図２】図２は本発明の実施の形態にかかるスイッチ照明装置の要部拡大図である。
【符号の説明】
１　　携帯電話
２　　筐体
３　　スイッチ
４　　紫外線ＬＥＤ
５　　蛍光体層
【図１】
2004119341.tif 000003
【図２】
2004119341.tif 000004